(57)【特許請求の範囲】
【請求項１】
回転玩具体とプロペラ体との組合せからなる、以下の要件を備えることを特徴とする回転玩具。
（イ）上記回転玩具体の内部にはフライホイールが回転可能に配置され、該フライホイールの軸の下端は上記回転玩具体の底部から下方に突出していること
（ロ）上記フライホイールは上記回転玩具体の外部から回転操作可能であること
（ハ）上記回転玩具体は上記フライホイールの軸の下端を接地させることにより、フライホイールの回転で間接的に回転させられること
（ニ）上記回転玩具体の上面中央には上記プロペラ体の軸を保持する保持部が配置されていること
（ホ）上記回転玩具体には上記保持部に保持されたプロペラ体の軸の下端に係合して上記プロペラ体に回転を加算する駆動機構と、該駆動機構の作動の可否を制御する制御部材とが配置されていること
（へ）上記制御部材は回転玩具体の回転による遠心力で外方に移動可能に形成され、移動時には上記駆動機構の作動を許容し、該駆動機構はプロペラ体に回転を加算させて上記回転玩具体から浮揚・離脱させること
【発明の詳細な説明】
【０００１】
【発明の属する技術分野】
本発明は、回転玩具、詳しくは回転玩具体とプロペラ体との組合せからなり、回転玩具体からプロペラ体が浮揚・離脱する回転玩具に関する。
【０００２】
【従来の技術】
従来、回転玩具としては独楽がよく知られ多くの子供に受け入れられているが、本来独楽は単に回転させて遊ぶものではなく、他の独楽と対戦させて遊ぶのが一般的であり、その対戦を有利にするために回転特性に特徴をもたせたものが色々提案され実用に供されている。
【０００３】
【発明が解決しようとする課題】
しかしながら、独楽自体は単独で回転するものであって、他の独楽と戦闘させる対戦独楽のような遊びをしない限りは単独で回して遊んでいても面白いものではなかった。
【０００４】
本発明は上記問題点を解消し、回転玩具体を回転させることにより、回転玩具体に保持されていたプロペラ体を回転、飛翔させることができ、単独で回転させても楽しむことができる画期的な回転玩具を提供することをその課題とする。
【０００５】
【課題を解決するための手段】
前記課題を解決するため、本発明に係る回転玩具は、回転玩具体とプロペラ体との組合せからなる、以下の要件を備えることを特徴とする。
（イ）上記回転玩具体の内部にはフライホイールが回転可能に配置され、該フライホイールの軸の下端は上記回転玩具体の底部から下方に突出していること
（ロ）上記フライホイールは上記回転玩具体の外部から回転操作可能であること
（ハ）玩具本体は上記フライホイールの軸の下端を接地させることにより、フライホイールの回転で回転玩具体は間接的に回転させられること
（ニ）上記回転玩具体の上面中央には上記プロペラ体の軸を保持する保持部が配置されていること
（ホ）上記回転玩具体には上記保持部に保持されたプロペラ体の軸の下端に係合して上記プロペラ体に回転を加算する駆動機構と、該駆動機構の作動の可否を制御する制御部材とが配置されていること
（へ）上記制御部材は回転玩具体の回転による遠心力で外方に移動可能に形成され、移動時には上記駆動機構の作動を許容し、該駆動機構はプロペラ体に回転を加算させて上記回転玩具体から浮揚・離脱させること
【０００６】
【発明の実施の形態】
図１及び図２は、本発明に係る回転玩具の一例を示す斜視図と分解斜視図とを示し、この回転玩具は回転玩具体１と、プロペラ体２との組合せからなるもので、回転玩具体１の側壁に形成された開口部３からラックギヤ４が形成されたスライダー５を挿通させ、スライダー５を引き抜き操作することにより内部に配置されたフライホイール１０を回転させて間接的に回転玩具体１を回転させ、回転玩具体１の回転が高速になると、回転玩具体１の上面から突出した保持部１１に保持されているプロペラ体２が回転させられて回転玩具体１から離脱して飛翔するようになっているものである。
【０００７】
回転玩具体１は、下部材１３ａと上部材１３ｂとから構成された中空の円板状の筐体１３と、この筐体１３の上に重合されたカバー部材１４とで全体として独楽を模して形成され、筐体１３の内部にはフライホイール１０が回転可能に配置されている。このフライホイール１０の下面には同軸上にピニオンギヤ１５が一体形成され、下部材１３ａに形成された嵌合凹部１６に嵌合する軸受１７と、上部材１３ｂに膨出形成された嵌合凹部１８に嵌合する軸受１９とで筐体１３に回転可能に軸支されている（図３（ａ）参照）。
【０００８】
そして、フライホイール１０の軸体２０の下部は下部材１３ａを貫通し、下方に突出した軸体２０の下端には先端が半球状に形成された樹脂製の滑り部材２１が取り付けられ、回転時の接地面との摩擦を少なくして回転を持続させることができるようになっている。
【０００９】
下部材１３ａにはスライダー５を挿通させる開口部３が形成され、この開口部３から挿通したスライダー５のラックギヤ４は上記フライホイール１０のピニオンギヤ１５に噛合し、スライダー５を強く引き操作することによりフライホイール１０を時計方向に高速で回転させることができ、フライホール１０が高速で回転すると軸受１７、１９を介して筐体１３自体が回転を始め、回転玩具体１全体が高速で回転するようになっている。
【００１０】
上部材１３ｂの上面には後述する駆動機構Ａの作動の可否を制御する制御部材２７が配置されている。この制御部材２７は上部材１３ｂの上面に形成された支軸２５に長孔２８が係合して上部材１３ｂ上を径方向に移動可能に軸支されるとともに、上部材１３ｂに形成されたフック３０と制御部材２７に形成されたフック３１との間に掛け渡されたスプリング３２で常に内方に付勢され、後述する駆動機構Ａの作動を阻止するとともに回転玩具１の回転時には遠心力でスプリング３２に抗して外方に移動して駆動機構Ａの作動を許容するようになっている。
【００１１】
この制御部材２７は連結部２７ａの両端から前方に脚片２７ｂが形成され平面視略Ｕ字状に形成されたもので連結部２７ａの前面には係止爪２９が突出形成され、後述する駆動機構Ａのラチェット歯車４２に噛み込むか否かで駆動機構Ａの作動の可否を制御するようになっている。
【００１２】
なお、符号３３は、回転玩具体１が制御部材２７のみでは重量の配分が偏ってしまうので、制御部材２７と対象の位置に配置して回転玩具体１の重量の均衡を保つためのバランス部材を示し、このバランス部材３３は嵌合孔３４に支軸２６を嵌合させることにより上部材１３ｂ上に固定されている。
【００１３】
さらに、上記制御部材２７とバランス部材３３とは支軸２５、２６にネジ３６で固定されるカバー部材１４で覆われているが、このカバー部材１４の中央には円形の開口部３７が形成され、この開口部３７からは後述する駆動機構Ａを手動で回転させるとともにプロペラ体２を保持する保持部１１が突出するように配置されている。
【００１４】
駆動機構Ａは、図３（ａ）に示すように、シャフト４０に固定され上方に軸体４１が突出形成されたラチェット歯車４２と、ラチェット歯車４２の上方に位置し、軸体４１と同軸上に配置され軸体４１とは独立して回転する回転体４３と、下端４５ａがラチェット歯車４２に固定され上端４５ｂが回転体４３に固定されたねじりコイルバネ４５とから構成されている。
【００１５】
ラチェット歯車４２は、上述の制御部材２７の係止爪２９が噛合している時には時計方向の回転が阻止され、係止爪２９による係止が解除された時には時計方向に回転できるようになっている。
【００１６】
回転体４３は、図３（ｂ）に示すように、上面は円筒状に膨出して保持部１１を構成し、この保持部１１の上部は上述したカバー部材１４の開口部３７から上方に突出し、手で摘んで回すことができる摘みの機能も備えている。この保持部１１の上面にはプロペラ体２の軸体５０を差し込むための挿入孔５１が形成され、内部にはラチェット歯車４２の軸体４１を軸支する軸受部５２が形成されている。
【００１７】
さらに、回転体４３の下面は円筒状に膨出し、膨出部５３の先端にはラチェット５４が周設され、このラチェット５４にはストッパー５５が噛み合い、回転体４３（保持部１１）が時計方向にのみ回転するように回転方向が制限されている。
【００１８】
上記駆動機構Ａは、保持部１１を時計方向に回転するとラチェット歯車４２は制御部材２７の係止爪２９が噛み合っているので時計方向への回転が阻止され、回転板４３はストッパー５５で反時計方向への回転が阻止されているので下端４５ａがラチェット歯車４２に固定され、上端４５ｂが回転板４３に固定されたねじりコイルバネ４５は保持部１１の回転操作によって捻られる。そして、制御部材２７が遠心力で外方に移動し、係止爪２９によるラチェット歯車４２の係止が解除されるとねじりコイルバネ４５の復元力でラチェット歯車４２（軸体４１）を時計方向に勢いよく回転させることができるようになっている。
【００１９】
次に、上記構成の回転玩具の作動態様について説明する。
【００２０】
先ず、保持部１１を摘んで時計方向にネジを巻くように繰り返し回転させる。保持部１１を回転させると回転板４３も一体構造なので同期して時計方向に回転する。回転板４３にはねじりコイルバネ４５の上端４５ｂが固定されているので、ねじりコイルバネ４５も時計方向に回転させられるが、ねじりコイルバネ４５の下端４５ａはラチェット歯車４２に固定されているのでねじりコイルバネ４５は捻られる状態になる。ねじりコイルバネ４５が捩じられた状態で保持部１１から手を離しても回転板４３のラチェット４３にはストッパー５５が噛み込んでいるのでねじりコイルバネ４５は巻き戻ることができず捻られた状態が維持される。
【００２１】
保持部１１を繰り返し回転させてねじりコイルバネ４５を十分に捻ったならば、プロペラ体２の軸体５０の先端を保持部１１の上面に形成されている挿入孔５１から差し込み、軸体４１の上端から突出したシャフト４０に嵌合凹部６０を嵌め合わせるとともに、先端のラチェット６１と軸体４１のラチェット６２とを噛み合わせる。
【００２２】
この状態で、プロペラ体２は回転体４３に保持されるとともにラチェット６１とラチェット６２とが噛み合っているので、軸体４１の回転時には軸体４１によってプロペラ体２が回転させられる状態になっている。
【００２３】
次に、図４（ａ）に示すように、回転玩具体１の側壁に形成された開口部３からスライダー５を充分に挿通した後に、スライダー５を勢いよく引き抜けばよい。スライダー５のラックギヤ４はフライホイール１０のピニオンギヤ１５に噛合しているので、フライホイール１０を勢いよく回転させることになる。この状態で、回転玩具体１を接地させるとフライホイール１０が回転しているので接地面に起立した状態でセットされ、やがてフライホイール１０の回転が軸受１７、１９を介して筐体１３に伝わり回転玩具体１全体が回転を始める（図４（ｂ）参照）。
【００２４】
回転玩具体１の回転が始まると、制御部材２７が遠心力で外方に移動しようとするがスプリング３２で内方に付勢されているため、回転玩具体１全体の回転が高速になるまでは制御部材２７は移動することができず、プロペラ体２は保持部１１に保持された状態で回転玩具体１と一緒に回転を続けることになる。
【００２５】
回転玩具体１の回転が高速になると、制御部材２７はスプリング３２に抗して徐々に外方に移動を始め、やがて係止爪２９によるラチェット歯車４２の係止が外れる状態になる。
【００２６】
ラチェット歯車４２の係止が解除されると、ねじりコイルバネ４５が一気に巻き戻ることになるが回転体４３はストッパー５５で反時計方向には回転できないので、ねじりコイルバネ４５はラチェット歯車４２を時計方向に勢いよく回転させることになる。ラチェット歯車４２の回転は軸体４１の回転でもあるため、軸体４１の先端部に形成されたラチェット６２に噛み合ったプロペラ体２も同時に回転させられ、図４（ｃ）に示すように、プロペラ体２は回転しながら浮き上がり保持部１１から離脱して飛翔させることができる。
【００２７】
なお、回転玩具体の回転方向と、駆動機構によるプロペラ体の回転方向が同一方向なので、保持部に保持された状態でプロペラ体は回転玩具体と同じ速度で回転し、更に駆動機構の作動が許容されると駆動機構による回転が加算されることになり、プロペラ体を高速で回転させることができる、プロペラ体を高く浮揚させることができる。
【００２８】
【発明の効果】
本発明によれば、回転玩具体にプロペラ体を回転させる駆動機構を配置しするとともにプロペラ体を保持する保持部を設け、保持部にプロペラ体を保持させた状態で回転玩具体を回転させると、外部から何ら操作をすることなくプロペラ体が突然高速で回転して回転玩具体から浮揚し、回転玩具体から離脱して飛翔するので、回転玩具を単独で回転させても楽しい回転玩具を実現することができる。
【図面の簡単な説明】
【図１】本発明に係る、回転玩具の構成を説明する斜視図
【図２】上記回転玩具の構成を説明する分解斜視図
【図３】（ａ）（ｂ）は上記回転玩具体の作動状態を説明する要部縦断面図
【図４】（ａ）〜（ｃ）は上記回転玩具の使用態様を説明する斜視図
【符号の説明】
１  回転玩具体
２  プロペラ体
１０  フライホイール
１１  保持部
１３  筐体
２７  制御部材
Ａ  駆動機構
【図１】
0003944392.tif 000002
【図２】
0003944392.tif 000003
【図３】
0003944392.tif 000004
【図４】
0003944392.tif 000005